(57)【要約】【課題】ポケットから取り出そうとした際にスムースな出し入れができ、かつ入力キー操作時に加わる力に対応した高い滑り止め機能を有する電子機器の滑止構造を提供する。【解決手段】厚さ方向に交差する方向に拡がる主面に入力キーが設けられた第一筐体１１と、入力キーの入力情報を表示可能な表示部が設けられ、第一筐体１１と重ね合わせ可能な第二筐体１２と、第一筐体１１及び第二筐体１２のそれぞれの長縁部１１ｃ，１２ｃに設けられ、第一筐体１１及び第二筐体１２を相対回動可能に連結するヒンジ部１４とを備える折畳式の電子機器１０の滑止構造であって、第一筐体１１のうち主面と表裏関係にある底面１１ｄにおいて第一筐体１１の長縁部１１ｃに沿って長尺状の滑止部材２０を設けたことを特徴とする。【選択図】図３
2011243691.tif 000002
【特許請求の範囲】
【請求項１】
厚さ方向に交差する方向に拡がる主面に入力キーが設けられた第一筐体と、
前記入力キーの入力情報を表示可能な表示部が設けられ、前記第一筐体と重ね合わせ可能な第二筐体と、
前記第一筐体及び前記第二筐体のそれぞれの長縁部に設けられ、前記第一筐体及び前記第二筐体を相対回動可能に連結するヒンジ部とを備える折畳式の電子機器の滑止構造であって、
前記第一筐体のうち前記主面と表裏関係にある底面において前記第一筐体の長縁部に沿って長尺状の滑止部材を設けたことを特徴とする電子機器の滑止構造。
【請求項２】
前記滑止部材は、該滑止部材の延在方向に交差する断面が三角形状となった三角リブ部を有することを特徴とする請求項１に記載の電子機器の滑止構造。
【請求項３】
前記滑止部材は、該滑止部材の延在方向に交差する断面が半円形状となった半円リブ部を有することを特徴とする請求項１又は２に記載の電子機器の滑止構造。
【請求項４】
前記滑止部材は、前記他厚さ方向から見て矩形枠状に形成されていることを特徴とする請求項１から３のうちいずれか一項に記載の電子機器の滑止構造。
【請求項５】
前記滑止部材は、該滑止部材の延在方向において両端から中間位置に向けて漸次薄くなることを特徴とする請求項１から４のうちいずれか一項に記載の電子機器の滑止構造。
【請求項６】
前記滑止部材は、相互に沿って複数設けられていることを特徴とする請求項１から５のうちいずれか一項に記載の電子機器の滑止構造。
【発明の詳細な説明】
【技術分野】
【０００１】
本発明は、折畳式の小型コンピュータ、モバイル通信機器、ゲーム機器などの電子機器に適用される滑止構造に関する。
【背景技術】
【０００２】
上記のような電子機器においては、入力キーの操作時の滑りを防止するために底面にゴム足を配設したものがある。
【０００３】
図７及び図８は、ゴム足を配設した折畳式の電子機器の一例を示す斜視図であって、ヒンジ部を閉じた状態を示している。図７及び図８に示す電子機器１は、第一筐体２と、第一筐体２の長縁部２Ａに沿うヒンジ部３を介して開閉自在な第二筐体４とからなる機器本体５を具備している。そして、機器本体５の第二筐体４は、第一筐体２の長縁部２Ａに沿うヒンジ部３の回転軸３Ａを中心として、第一筐体２に対して開閉自在とされている。
このような電子機器１においては、第一筐体２の底面６の四隅に円筒形状のゴム足７が設けられた滑止構造が用いられており、四隅のゴム足７によって机上等の支持面に設置した際の滑りを抑制している（例えば、下記特許文献１）。
【先行技術文献】
【特許文献】
【０００４】
【特許文献１】特開平１０-２８４８４８号公報
【発明の概要】
【発明が解決しようとする課題】
【０００５】
ところで、上記の滑止構造は、滑止効果を十分に発揮させるためにゴム足を底面に散在させており、衣服や鞄等のポケット等に対して電子機器を収容・取り出す際に、ゴム足が引っ掛かってスムーズに収容・取り出しができないという問題がある。さらに、引っ掛かりによってゴム足に局所的な力が作用することによりゴム足が脱落して滑止効果が十分に得られなくなるという問題がある。
【０００６】
この発明は、上述した事情に鑑みてなされたものであって、ポケット等に対する電子機器の収容・取り出しをスムーズにすると共に、十分な滑止効果を維持することを課題とする。
【課題を解決するための手段】
【０００７】
上記課題を解決するために、この発明は以下の手段を提案している。すなわち、本発明は、厚さ方向に交差する方向に拡がる主面に入力キーが設けられた第一筐体と、前記入力キーの入力情報を表示可能な表示部が設けられ、前記第一筐体と重ね合わせ可能な第二筐体と、前記第一筐体及び前記第二筐体のそれぞれの長縁部に設けられ、前記第一筐体及び前記第二筐体を相対回動可能に連結するヒンジ部とを備える折畳式の電子機器の滑止構造であって、前記第一筐体のうち前記主面と表裏関係にある底面において前記第一筐体の長縁部に沿って長尺状の滑止部材を設けたことを特徴とする。
【発明の効果】
【０００８】
本発明によれば、第一筐体のうち底面において長縁部に沿って長尺状の滑止部材を設けたので、第一筐体の底面を支持面に載置させると共に、第一筐体と第二筐体とを展開させて表示部を視認可能な姿勢にした場合において、第二筐体を展開させた際に掛かる重量によって、滑止部材と支持面とが密着し、これによって入力キー操作時に電子機器が滑ることが効果的に防止され、良好なキー操作性を実現できる。
また、通常、衣服や鞄等のポケット等に対して電子機器を収容・取り出す際には、電子機器の長手方向に向けて収容・取り出しを行うのが通常であるが、長尺状の滑止部材が第一筐体の底面における長縁部に沿って配置されているので、衣服や鞄等のポケット等に対して滑り止め部材が引っ掛かり難い。換言すれば、滑止部材の延在方向と、ポケットに対する電子機器の収容・取出方向とが略一致することになるので、相対的に滑止部材上をポケット内面が摺動することとなり、滑止部材に局所的な力が作用することが防止される。これにより、滑止部材の脱落を抑止して滑止効果を十分に維持することができる。
【図面の簡単な説明】
【０００９】
【図１】本発明の実施形態に係るに適用される電子機器１０を示す斜視図である。
【図２】電子機器１０が閉じられた状態を示す斜視図である。
【図３】電子機器１０を裏側から見た斜視図である。
【図４】電子機器１０を側方から見た側面図である。
【図５】（Ａ）延在方向に交差する断面が三角形状の滑止部材２０を示す斜視図、（Ｂ）延在方向に交差する断面が円形状の滑止部材２１を示す斜視図、（Ｃ）凹部が形成された滑止部材２２を示す斜視図である。
【図６】滑止部材２０をアーチ状に形成した変形例を示す概略構成図であって、（Ａ）延在方向に交差する断面が三角形状の滑止部材２３を示す斜視図、（Ｂ）延在方向に交差する断面が円形状の滑止部材２４を示す斜視図である。
【図７】従来の一般的な電子機器を底面から見た場合の斜視図である。
【図８】図７の電子機器を側方から見た側面図である。
【発明を実施するための形態】
【００１０】
本発明の一実施形態について図１〜図５を参照して説明する。
図１〜図４は、発明の実施形態に係る折り畳み式の電子機器１０であり、厚さ方向に交差する方向に拡がる主面１１ａに入力キー１１ｂが設けられた第一筐体１１と、入力キー１１ｂの入力情報や各種通信情報・機器情報等を表示可能な表示画面（表示部）１２Ａが設けられ、第一筐体１１と重ね合わせ可能な第二筐体１２とからなる機器本体１３を有する。
【００１１】
第一筐体１１及び第二筐体１２は、それぞれ薄型の矩形板状に形成されている。これら第一筐体１１及び第二筐体１２は、それぞれの長手方向に沿って延びる長縁部１１ｃ，１２ｃに沿って配設されたヒンジ部１４により、相対回動可能に連結されている。より具体的には、ヒンジ部１４の矢印Ａ−Ｂ方向（電子機器１０の長手方向）に沿う回転軸１４Ａを中心として相対回動可能に連結されることにより、入力キー１１ｂと表示画面１２Ａとが対向するように第一筐体１１と第二筐体１２とを折り畳んだ姿勢（図２参照）、及び、入力キー１１ｂと表示画面１２Ａとが鈍角を形成する位置関係となるように第一筐体１１と第二筐体１２とを展開させた姿勢（図１参照）にすることが可能となっている。
【００１２】
この電子機器１０は、第一筐体１１の底面１１ｄにおいて、ヒンジ部１４の近傍位置に複数（本実施形態では二つ）の滑止部材２０が設けられている。
複数の滑止部材２０は、例えば、それぞれゴム樹脂からなる長尺状のものであって、図３に示されるように、互いが平行となるように長縁部１１ｃに沿って配置されている。また、滑止部材２０は、図４及び図５（Ａ）に示すように、延在方向全域に亘って延在方向に交差する断面形状が三角形の三角リブ（三角リブ部）となっている。
【００１３】
次に、上述した電子機器１０の作用について説明する。
まず、電子機器１０を使用する際には、第一筐体１１と第二筐体１２とを展開させた姿勢で、第二筐体１２が第一筐体１１に対して上方に位置するように作業机等の支持面に載置する。電子機器１０を載置すると、滑止部材２０の先端が支持面に線接触して密着する。この際、電子機器１０を展開させた姿勢においては、第一筐体１１に対して第二筐体１２が鈍角を形成し、電子機器１０の重心が長縁部１１ｃ側に移動しているために、電子機器１０の自重によって滑止部材２０が支持面に対して押し付けられて強い密着・滑り止め効果が得られる。
【００１４】
また、電子機器１０の入力キー１１ｂの操作時には、操作者が表示画面１２Ａを視認しつつ表示画面１２Ａよりも手前側に位置する入力キー１１ｂを押下するために、入力キー１１ｂ側から表示画面１２Ａ側（図３に示される矢印Ｃ側。以下、「特定方向」という。）に向けて機器本体１３に多くの力が作用する。この際、滑止部材２０の支持面に対する摩擦力が特定方向の力に対応して反対向きに作用することにより、電子機器１０の支持面に対する滑りが防止される。
さらに、滑止部材２０が複数配設されているので、滑止部材２０の支持面に対する摩擦力が滑止部材２０を単数設けた場合に比べて大きくなって、電子機器１０の支持面に対する滑りがさらに防止される。
このようにして、良好な操作性を得ながら入力キー１１ｂによる入力を行うことができる。
【００１５】
一方、電子機器１０をポケットに収容する際には、第一筐体１１と第二筐体１２とを折り畳んだ姿勢とし、ポケット開口に電子機器１０の長手方向を向けた状態で、電子機器１０の長手方向の一端をポケットに挿入する。
【００１６】
ポケット内に滑止部材２０が収容された後には、電子機器１０のポケット奥部への変位に伴って、滑止部材２０がポケット内面を摺動する。つまり、ポケットに滑止部材２０が引っ掛かることなく、収容が完了される。
【００１７】
以上詳細に説明したように、電子機器１０によれば、第一筐体１１における底面１１ｄの長縁部１１ｃに沿って長尺状の滑止部材２０を設けたので、第二筐体１２を展開させた姿勢で第一筐体１１を操作した場合に、矢印Ａ‐Ｂ方向に線接触した滑止部材２０が抵抗になって、入力キー操作時に機器本体１３が特定方向（図３に示される矢印Ｃ側）に滑ることが防止される。
また、滑止部材２０がある箇所は、第二筐体１２を展開させた際にその重量が掛かる第一筐体１１の底面１１ｄにおける長縁部１１ｃに沿って配置されているので、第一筐体１１と第二筐体１２とを展開させた姿勢において、当該重量によって該滑止部材２０と作業机の支持面とが密着し、これによって入力キー操作に機器本体１３が滑ることが防止され、良好なキー操作性を実現できる。
また、電子機器１０のような長さを有する電子機器は、該電子機器１０をポケットに収容・取り出す場合においてポケットに対して電子機器１０の長手方向に変位させるのが一般的であるが、滑止部材２０の延在方向（矢印Ａ−Ｂ方向）と、ポケットに対する機器本体１３の変位方向とがほぼ一致することになるので、滑止部材２０がポケットに引っ掛からない。すなわち、滑止部材２０の延在方向（矢印Ａ−Ｂ方向）と、ポケットに対する機器本体１３の変位方向とがほぼ一致することになるので、滑止部材２０上を相対的にポケット内面が摺動することとなり、滑止部材２０に局所的な力が作用することが防止される。これにより、滑止部材２０の脱落を抑止して滑止効果を十分に維持することができる。
【００１８】
以上、本発明の実施形態について図面を参照して詳述したが、具体的な構成はこの実施形態に限られるものではなく、本発明の要旨を逸脱しない範囲の設計変更等も含まれる。
例えば、矢印Ｃ方向への機器本体１３の滑りを防止できるものであればその形状は限定されない。例えば、滑止部材２０としては、図４及び図５（Ａ）で示すような、断面形状が三角形の三角リブ部の他、図５（Ｂ）で示すような、断面形状が半円形状の半円リブ部を用いた滑止部材２１を用いてもよい。また、これに限定されず、図５（Ｃ）に示されるような、他方の面の法線方向から見て矩形枠状に形成された滑止部材２２を使用しても良い。
さらに、延在方向の一部を三角リブ部や半円リブ部にする構成でもよいし、三角リブ部と半円リブ部とを重畳的に用いてもよい。さらに、滑止部材２２の枠部に三角リブ部や半円リブ部を用いてもよい。
【００１９】
また、より大きな摩擦力を得るために滑止部材２０の全体形状をシボ状に形成してもよい。この際、シボ状に形成することで、デザイン性も向上することができる。
【００２０】
また、上述した滑止部材２０に代えて、図６（Ａ），（Ｂ）に示すように、滑止部材２０の延在方向において両端から中間位置に向けて漸次薄くなるようにアーチ状に形成した滑止部材２２，２３を用いてもよい。こうすることで、机上に置いた際は一つの滑止部材２０につき二点で電子機器１０を支えることとなるためにガタつきが抑制されるばかりでなく、支持面に対する摩擦力も向上させることができる。
また、入力キー１１ｂを押下したり叩いたりした場合において電子機器１０に荷重が加わったときには、滑止部材２０全体で支えることができるために安定性を向上させることができる。さらに、入力キー１１ｂの操作時において滑止部材２０の磨耗を防止することができると共に、ポケット収納時の滑止部材２０とポケット内面との接触を低減することができ、滑止部材２０とポケット内面との摩擦抵抗を軽減することが可能となり、ポケット等に対する電子機器１０の収容・取り出しをさらにスムーズにすることができる。
【００２１】
また、本実施形態の図３及び図４に示される滑止部材２０は、ヒンジ部１４の直下にて該ヒンジ部１４の軸方向に沿う矢印Ａ−Ｂ方向に配置されているが、ヒンジ部１４の直下ではなく、例えば矢印Ｃ方向に若干ずれて配置しても良い。
【００２２】
また、上述した実施形態では、滑止部材２０を複数設ける構成としたが、単数設ける構成としてもよい。
また、上述した実施形態では、滑止部材２０の材質をゴム樹脂としたが、他の合成樹脂等を用いてもよい。
【００２３】
また、上述した実施形態では、回動軸が単数に設定されたヒンジ部１４を備える電子機器１０について本発明を適用したが、回動軸が複数に設定されたヒンジ部を備える電子機器についても本発明を適用することができる。
【００２４】
また、上述した実施形態では、矩形板状ではなく長手方向を有する他の形状、例えば、楕円板状に形成されたものについても本発明を適用することができる。円弧状の縁に沿って円弧状に配設してもよいし、円弧状の縁に沿って直線状に沿わしてもよい。
【産業上の利用可能性】
【００２５】
本発明は、折畳式の小型コンピュータ、モバイル通信機器、ゲーム機器などの電子機器に適用される。
【符号の説明】
【００２６】
１０…電子機器
１１…第一筐体
１１ａ…主面
１１ｂ…入力キー
１１ｃ，１２ｃ…長縁部
１１ｄ…底面
１２…第二筐体
１２Ａ…表示画面（表示部）
１４…ヒンジ部
２０〜２４…滑止部材
【図１】
2011243691.tif 000003
【図２】
2011243691.tif 000004
【図３】
2011243691.tif 000005
【図４】
2011243691.tif 000006
【図５】
2011243691.tif 000007
【図６】
2011243691.tif 000008
【図７】
2011243691.tif 000009
【図８】
2011243691.tif 000010